(57)【要約】【課題】栽培が難しいサトイモ、ショウガ、ミョウガ、アスパラガス、ウド、ミツバ、フキ、ヤマイモ、コンニャクまたはニンニク等の野菜、果樹、草花などを簡単に栽培でき、しかも種苗が栽培の途中に、植物ウイルスに感染することを防除し、安定して高品質の野菜を収量多く収穫する、あるいは安定して高品質の園芸植物を取得あるいは鑑賞することができる【解決手段】包装容器内に培養土を充填し、該培養土の所定位置に植物ウイルスの弱毒ウイルスを接種感染させた種苗を埋設した後、開口部を閉鎖してなるポット菜園の、該容器の所定位置を開封し、水やり、射光、遮光または保温して植物を栽培する。【特許請求の範囲】
【請求項１】
包装容器内に培養土と植物ウイルスの弱毒ウイルスを接種感染させた種苗とを充填し開口部を閉鎖してなるポット菜園。
【請求項２】
包装容器内に培養土を充填し、該培養土の所定位置に植物ウイルスの弱毒ウイルスを接種感染させた種苗を埋設し、開口部を閉鎖してなるポット菜園。
【請求項３】
遮光性を有する包装容器内に培養土と植物ウイルスの弱毒ウイルスを接種感染させた種苗とを充填し開口部を閉鎖してなるポット菜園。
【請求項４】
遮光性を有する包装容器が、黒色、青色、茶色あるいは緑色をした外周壁、またはアルミ箔の外周壁を有する合成樹脂製包装用袋または合成樹脂製包装用箱である請求項１〜請求項３のいずれかに記載のポット菜園。
【請求項５】
種苗が、キュウリモザイクウイルスの弱毒ウイルスを接種感染させた、野菜、果樹または草花の種苗である請求項１〜請求項３のいずれかに記載のポット菜園。
【請求項６】
種苗が、栄養繁殖植物体またはその一部である請求項１〜請求項３のいずれかに記載のポット菜園。
【請求項７】
栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である請求項６に記載のポット菜園。
【請求項８】
包装容器内に培養土を充填し、該培養土の所定位置に植物ウイルスの弱毒ウイルスを接種感染させた種苗を埋設した後、開口部を閉鎖してなるポット菜園の、該容器の所定位置を開封し、水やり、射光、遮光または保温して植物を栽培することを特徴とするポット菜園による植物の栽培法。
【発明の詳細な説明】
【０００１】
【発明の属する技術分野】
本発明は、家庭の庭、ベランダ（ぬれ縁）、軒下、テラス、室内など非常に狭い場所で、栽培が難しいと言われる野菜や園芸植物を、熟練や経験を必要とせずに（初心者でも）、非常に簡単に栽培を行うことが可能なポット菜園の改良に関し、特に、ウイルス防除が可能なポット菜園を得る方法に関する。
なお、本発明でいう「ポット菜園」とは、包装容器内に培養土と種苗とを充填し開口部を閉鎖した包装体を意味する。
【０００２】
【従来の技術】
本発明者らは、このたび家庭の庭、ベランダ（ぬれ縁）、軒下、テラス、室内など非常に狭い場所で、栽培が難しいと言われる野菜や園芸植物を、熟練や経験を必要とせずに（初心者でも）、非常に簡単に栽培を行うことが可能なポット菜園を開発した。
すなわち、包装容器内に培養土と種苗とを充填し開口部を閉鎖してなるポット菜園、および包装容器内に培養土を充填し、予め該培養土の所定位置に種苗を埋設し、開口部を閉鎖してなるポット菜園、および遮光性を有する包装容器内に培養土と種苗とを充填し開口部を閉鎖してなるポット菜園である。
しかしながら、上記ポット菜園を詳細に検討した結果、野菜、果樹、草花（花卉）などの種苗が栽培の途中に、キュウリモザイクウイルスやタバコモザイクウイルスなどの植物ウイルスに感染し、高品質の野菜や園芸植物を得られなくなる危険性があり、この対策が重要であることが判明した。
【０００３】
【発明が解決しようとする課題】
本発明は、ポット菜園において、種苗が栽培の途中に、植物ウイルスに感染することのない野菜、果樹、草花などを得ることを目的とする。
【０００４】
【課題を解決するための手段】
本発明者らは、このような課題を解決するため鋭意研究を重ねた結果、遂に本発明を完成した。すなわち本発明は、包装容器内に培養土と植物ウイルスの弱毒ウイルスを接種感染させた種苗とを充填し開口部を閉鎖してなるポット菜園を提供する。
【０００５】
また本発明は、包装容器内に培養土を充填し、該培養土の所定位置に植物ウイルスの弱毒ウイルスを接種感染させた種苗を埋設し、開口部を閉鎖してなるポット菜園を提供する。
【０００６】
また本発明は、遮光性を有する包装容器内に培養土と植物ウイルスの弱毒ウイルスを接種感染させた種苗とを充填し開口部を閉鎖してなるポット菜園を提供する。
【０００７】
また本発明は、遮光性を有する包装容器が、黒色、青色、茶色あるいは緑色をした外周壁、またはアルミ箔の外周壁を有する合成樹脂製包装用袋または合成樹脂製包装用箱である前記のポット菜園を提供する。
【０００８】
また本発明は、種苗が、キュウリモザイクウイルスの弱毒ウイルスを接種感染させた、野菜、果樹または草花の種苗である前記のポット菜園を提供する。
【０００９】
また本発明は、種苗が、栄養繁殖植物体またはその一部である前記のポット菜園を提供する。
【００１０】
また本発明は、栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である前記のポット菜園を提供する。
【００１１】
また本発明は、包装容器内に培養土を充填し、該培養土の所定位置に植物ウイルスの弱毒ウイルスを接種感染させた種苗を埋設した後、開口部を閉鎖してなるポット菜園の、該容器の所定位置を開封し、水やり、射光、遮光または保温して植物を栽培することを特徴とするポット菜園による植物の栽培法を提供する。
【００１２】
【発明の実施の形態】
以下本発明を詳細に説明する。
【００１３】
まず、本発明のポット菜園は、包装容器内に培養土と植物ウイルスの弱毒ウイルスを接種感染させた種苗とを充填し開口部を閉鎖することにより得られる。
【００１４】
本発明は、植物ウイルスの弱毒ウイルスを接種感染させた種苗を用いることを最も特徴とするもので、これにより種苗が植物ウイルスに感染することを防除し、安定して高品質の野菜を収量多く収穫する、あるいは安定して高品質の園芸植物を取得あるいは鑑賞することができる。
【００１５】
次に本発明において用いられる種苗としては、野菜、果樹、草花などの種苗が挙げられるが、その中で、栄養繁殖植物体またはその一部（株分けしたもの、切断処理したもの）の利用が本発明の効果をよりよく奏するので好ましい。
【００１６】
なお、上記栄養繁殖植物体としては、里芋、ショウガ、およびミョウガ等の地下塊茎植物、アスパラガス、ウドおよびミツバ等の塊根植物、フキ等の地下茎植物、ジネンジョ、ナガイモ、イチョウイモおよびコンニャクなどの塊根植物、およびニンニク等の球根植物が好ましい。
【００１７】
本発明において、上記栄養繁殖植物体は、そのまま、または乾燥させた後に使用することができるが、乾燥させた後に用いると、保存性が良くなるので好ましい。また、種苗を殺菌剤で処理してから用いると、保存中および栽培中において病原菌の浸入予防と、浸入した病原菌の殺菌をすることができるので好ましい。
【００１８】
本発明において用いられる植物ウイルスの弱毒ウイルスとしては、キュウリモザイクウイルス、ヤマノイモモザイクウイルス、サトイモモザイクウイルス等の該野菜に病害をもたらすウイルスを防除することができる弱毒ウイルスが挙げられる。弱毒ウイルスの接種は、当該野菜群が幼苗から当該形態までの期間に接種すればよい。
【００１９】
すなわち、（イ）里芋、ショウガ、又はミョウガ等の塊茎から作成した根株、（ロ）アスパラガス、ウド、またはミツバ等の塊茎から作成した根株、（ハ）フキ等の地下茎から作成した親株、（ニ）ジネンジョ、ナガイモ、イチョウイモ、またはヤマトイモ等のヤモイモ等の塊茎の切片（種イモ）、（ホ）コンニャク等の種いもや生子、その切片、又は（ヘ）ニンニク等の球根の鱗片に対して弱毒ウイルスを接種することにより、該ウイルスの感染した種苗を得ることができる。
【００２０】
次に、本発明において用いられる培養土としては、栽培する野菜、果樹、または草花などに適した窒素、燐酸、カリウムまたはカルシウム等の要素の少なくとも１つ、または化成肥料や有機質肥料等の即効性肥料、緩効性肥料、遅効性肥料、または即効性肥料と緩効性肥料との混合肥料の少なくとも１つ、を含有させたパーライト、ピートモス、ココピート、または通常の培養土等の吸湿性のある園芸用土資材が挙げられる。または上記培養土に必要により化成肥料および／または有機質肥料を施肥した培養土、または園芸用土資材に窒素、燐酸、カリウム、カルシウム、マグネシウム、化成肥料または有機質肥料の少なくとも１つを添加含有せしめた培養土などが挙げられる。
【００２１】
次に、本発明において用いられる包装容器としては、培養土と種苗とを充填し開口部を閉鎖し得る任意の包装容器が挙げられる。
例えば、防水加工した紙製袋、木製、石製（天然石、石膏ボード、セメントなど）、金属製、ポリエチレン、ポリスチレン、ポリプロピレンまたはプラスチック等の合成樹脂製、ガラス製など任意の素材でできた可撓性（あるいはフィルム状）の袋状包装容器、非可撓性（堅牢性）の包装用箱、同包装用瓶、同包装用缶などが挙げられる。
【００２２】
これらの包装容器は、無色透明〜着色不透明の素材まで任意の素材で作られているものが採用できる。
しかし、種苗の品種によっては、例えばアスパラガス、ウド、ネギ、ミツバなどにおいては、遮光性を有する包装容器を用いて栽培すると、収穫野菜の可食部の肌（外表面）が淡色、または白色になって、外観が美しくなり、しかも食感が軟らかくなるので、非常に好ましい。また、遮光性包装容器を用いるときは、外から容器内培養土が見えにくく、あるいは見えないので、包装容器全体の外観が美しくなるので好ましい。
【００２３】
この場合、遮光性を有する包装容器としては、黒色、青色、茶色あるいは緑色をした外周壁、またはアルミ箔の外周壁を有する包装容器が挙げられる。
【００２４】
また本発明は、包装容器内に培養土を充填した後、該培養土に種苗を埋設するが、その際、予め所定位置に種苗を埋設する。すなわち、種苗によって埋設適所が相違するので、埋設の深さ位置、種苗相互間の間隔などを好適化することは、期待通りの栽培成績を得るために重要となる。反対に埋設適所を無視した場合は、期待通りの栽培成績は得られない欠点を有する。
例えば、アスパラガスは、培養土表面より２０〜２５ｃｍ、ウドおよび里芋が８〜１３ｃｍが好ましい。
【００２５】
このように得たポット菜園を用いて植物を栽培するには、上記ポット菜園の、該容器の所定位置を開封し、これに、水やり、射光、遮光または保温などして植物を栽培する。
【００２６】
【実施例】
以下参考例および実施例を示して本発明をより具体的に説明する。
【００２７】
参考例
（１）弱毒ウイルスを接種したコンニャクいもの作成
本発明区として、５月６日にこんにゃくの生子（品種あかぎおおだま）１２５個（平均重量２１ｇ）にキュウリモザイクウイルスの弱毒ウイルスＮＤＭ−１（日本デルモンテ（株）社製）を特開平２０００−２０１５３５に記載した方法で接種し、５月７日に群馬県白沢村の試験圃場に植え付けた。
また、比較例区として、当該弱毒ウイルスを接種しない以外は、全く同様にして、同種のこんにゃくの生子１２５個（平均重量２１ｇ）を植え付けた。
両試験区の種いもの生子群とも、６月頃に出芽し、生長して、葉身が完全に展開したが、この頃から有翅アブラムシが飛来し、多数発生した。やがて、比較例区のものは、開葉初期に葉が曲がり、水浸状となり、黒色となって、その周辺部が黄化した。この病状は、キュウリモザイクウイルスによるえそ萎縮病と判明し、有翅アブラムシが媒介したものと考えられた。
一方、発明区のこんにゃく群は、軽微なウイルス症状が観察されたが、大きな病徴は認められず、開葉後も葉柄や葉身は、伸長を続けた。
そして、１１月３０日に各試験区の種いもを収穫した結果、発明区は、平均重量１３１ｇのこんにゃくいも１２５個を収穫したが、比較例区では、平均重量６４ｇで４５個の収穫量であり、発明区に比較し、収量が６４％減少した。
【００２８】
実施例１
（コンニャクのポット菜園の作成）
３月１５日に冬季間、屋内貯蔵した発明区のコンニャクい２０個を、大きさ３７×１５×５７ｃｍで、厚さ０．０７ｍｍの黒色のビニール袋（スタンデイングパウチ）２０袋に１個づつ入れた。そして、各袋に下記組成の培養土約１２Ｌを入れた。次いで、空気を抜きながら、当該ビニール袋をヒートシールして密封して、コンニャクのポット菜園２０個を作成した。
培養土：ホーネンアグリ社製「ポットミックス」に協同肥料社製・即効性肥料「園芸化成Ｓ２００」およびハイポネクスジャパン社製・遅効性肥料「マグアンプＫ」をそれぞれ３ｇ／Ｌと４ｇ／Ｌの割合で添加し、均一に混合してなる培養土
【００２９】
実施例２
（コンニャクのポット菜園によるコンニャクの栽培法）
４月１８日にコンニャクのポット菜園２０個のそれぞれの包装容器を開封して、種いもに水やりし、開封した袋を再び輪ゴムで閉じて、家のベランダで栽培を開始した。この栽培期間中は、当該袋中の培養土が乾燥しないように定期的に水やりした。そして、１１月２０日には、主芽が鋭く尖り、ポット菜園１個当り平均で５２０ｇと重く充実して、球茎の高さのあるこんにゃくいもが収穫できた。
【００３０】
比較例１
比較のため、上記実施例１のコンニャクのポット菜園の作成において、「弱毒ウイルスを接種したコンニャクいも（本発明区）」に代えて、「弱毒ウイルスを接種しないコンニャクいも」を用いる以外は全く同様にして、比較例区のコンニャクのポット菜園２０個を作成し、これを実施例２と同様に栽培した。
【００３１】
（栽培試験結果）
この結果、参考例とほぼ同様の結果が得られた。すなわち比較例区は２０区のうち６区において、開葉初期に葉が曲がり、水浸状となり、黒色となって、その周辺部が黄化した。この病状は、キュウリモザイクウイルスによるえそ萎縮病と判明し、有翅アブラムシが媒介したものと考えられた。
一方、発明区は、２０区において、軽微なウイルス症状が観察されたが、大きな病徴は認められず、開葉後も葉柄や葉身は、伸長を続けることが判明した。
【００３２】
【発明の効果】
本発明は、種苗が栽培の途中に、植物ウイルスに感染することのない野菜、果樹、花卉などのポット菜園を得ることができる。